(57)【要約】【目的】本発明は、プリンタの給紙装置の自動化を行うとともに、給紙作業の効率性と安全性、同時にロール紙挿入の正確さを高めることを目的とする。【構成】本体カバーの開閉の有無を検知するカバーオープン検出器１１、１２を備え、カバーオープン時にはペーパーロードスイッチ３のＯＮ信号によりロール紙の紙送りを実行する制御手段を有する。【選択図】図３
2006056268.tif 000002
【特許請求の範囲】
【請求項１】
ケース本体のスイッチにより、記録用紙の先端の頭出しが可能なプリンタにおいて、
前記ケース本体に設けられたカバーの開閉を検出する開閉検出手段と、
前記開閉検出手段により前記カバーが開放されていることが検出されたとき前記スイッチによる記録用紙の紙送り動作を可能とし、前記カバーが閉じられていることが検出されたとき前記スイッチを無効とする手段と、
を備えたことを特徴とするプリンタ。
【発明の詳細な説明】
【技術分野】
【０００１】
本発明は、記録紙の頭出しを、紙送りスイッチとプリンタカバーの操作によって行うプリンタに関する。
【背景技術】
【０００２】
従来、プリンタカバーを開けたとき、紙送りスイッチのみ有効になる文献として、下記特許文献がある。
【０００３】
【特許文献１】特開昭６１−１７３９７８号公報
【発明の開示】
【発明が解決しようとする課題】
【０００４】
しかし、前述の従来技術では、一つのスイッチが紙送りと切断を兼用しており、切断が誤って押されてしまうと、人体に危険であるという課題があった。
【０００５】
本発明のプリンタは、上記課題を解決し、給紙作業の安全性を高めることを目的とする。
【課題を解決するための手段】
【０００６】
本発明のプリンタは、
ケース本体のスイッチにより、記録用紙の先端の頭出しが可能なプリンタにおいて、
前記ケース本体に設けられたカバーの開閉を検出する開閉検出手段と、
前記開閉検出手段により前記カバーが開放されていることが検出された場合にのみ、前記スイッチによる紙送り動作を可能とし、前記カバーが閉じられていることが検出された場合には、前記スイッチを無効とする手段と、
を備えたことを特徴とする。
【発明の効果】
【０００７】
本発明の上記の構成によれば、カバーオープン検出回路により本体カバーが開いた状態であると検出されれば、記録紙をスイッチにより頭出しする動作のみが有効とされる。その他のスイッチによる動作や印字動作はすべて無効となる。
【発明を実施するための最良の形態】
【０００８】
図１は本発明におけるオートローディング装置を用いたプリンタの概略図である。１は本体カバーの一種のテイクアップユニットカバー（以下ＴＵカバーと略す）でありロール紙の交換などの時にオープンする。２は本体カバーの他のプリンタカバーであり、ロール紙の挿入やインクリボンの交換、また万が一紙づまりが発生した場合などにオープンする。３はペーパーロードスイッチである。ノンロック・スライドスイッチを用いており、プリンタメカの上部に装着されている。ＴＵカバー１、プリンタカバー２の少なくとも１つが開いている状態であれば、ペーパーロードスイッチ３によってのみ紙送りが実行される。このとき、後に述べるＲＯＭに格納された制御プログラムにより設定されている改行量の影響を受けない。
【０００９】
ロール紙は、ＴＵカバー１とプリンタカバー２を開けた状態でペーパーロードスイッチ３を押し、ロール紙を紙経路内に挿入する。紙が適切な位置に挿入されたならばペーパーロードスイッチ３を離す。
【００１０】
図２は本発明におけるオートローディング装置を用いたシリアルプリンタのパネルスイッチおよびインディケータを示す。４は電源（ＰＯＷＥＲ）ＬＥＤ、５はロール紙紙無しＬＥＤ、６は単票用紙（ＰＡＰＥＲ）ＬＥＤ、７はオンライン（ＯＮ  ＬＩＮＥ）ＬＥＤである。オンラインＬＥＤ７が点灯時はオンラインモードを示し、消灯時はオフラインモードを示す。８はオンラインスイッチである。オンラインモードとオフラインモードを切り替える。オンラインモードとは通常のモードで、印字可能状態である。オフラインモードに切り替わると、印字中の行を印字終了後に印字を停止する。オンラインスイッチ８は後に述べるＲＯＭに格納された制御プログラムによってスイッチの有効・無効を選択することができる。無効が設定されると、オンラインスイッチ８によるオンライン／オフラインモードの切り替えは機能しない。電源投入時はオンラインモードに設定され、オンラインスイッチ８は有効である。９はレリーズスイッチである。これにより紙のクランプを解除する。１０は紙送りスイッチである。ＲＯＭに格納された制御プログラムにより設定されている改行量に基づいて紙送りを実行する。カバーオープン時には紙送りスイッチ１０は無効となり動作しない。
【００１１】
図３は本発明のオートローディング装置のブロック図を示す。１１はプリンタカバーセンサー（Ｐカバーセンサー）であり、１２はテイクアップユニットカバーセンサー（ＴＵカバーセンサー）である。Ｐカバーセンサー１１およびＴＵカバーセンサー１２はカバーオープンを検出したときに、Ｈ'レベルの信号を出力する。１６は中央処理装置（以下ＣＰＵと略す）であり、内部に制御プログラムを格納するＲＯＭ、データを一時格納するＲＡＭ、Ｉ／Ｏポート等が内蔵されているワンチップＣＰＵで示している。１１、１２のカバーセンサーの少なくとも１つがオープンであると検出された時、ＯＲ  ＧＡＴＥ１３はアクティブとなりＨ'レベルの信号を出力する。シュミット回路１４では、ＯＲ  ＧＡＴＥ１３からの入力信号がＬ'レベルからＨ'レベルへ立ち上がったときにアクティブとなり、ＣＰＵ１６に直ちに割り込み信号を出力する。ＣＰＵ１６はプリンタが印字中であれば割り込み処理を行い、印字を停止させる。同時にシュミット回路１４からの割り込み信号は紙送りスイッチ（ＦＥＥＤ  ＳＷ）１０にも入力されるので、紙送りスイッチ１０は無効となりカバーパネル上のパネルスイッチ８〜１０は動作しない。このときペーパーロードスイッチ３のみが有効となり、ペーパーロードスイッチ３によってのみＣＰＵ１６に紙送り要求を行うことができる。
【００１２】
１５はＩＮＶＥＲＴ  ＮＯＲ  ＧＡＴＥであり、紙送りスイッチ１０、ペーパーロードスイッチ３の少なくとも１つがＯＮであればＬ'レベルの信号が入力されるので、ＩＮＶＥＲＴ  ＮＯＲ  ＧＡＴＥ１５はアクティブとなる。このときＣＰＵ１６に紙送り要求の信号を出力する。
【００１３】
ＣＰＵ１６は紙送り要求の信号を受け取ると、紙送り機構１７に命令信号を出力し、即座にロール紙の紙送りが実行される。
【００１４】
カバーセンサー１１、１２がカバーオープンを検出しないときは紙送りスイッチ１０が有効であり、ＣＰＵ１６に対して紙送り要求を行う。ペーパーロードスイッチ３はプリンタカバー２の内にあるのでこの状態ではペーパーロードスイッチ３を動かせず、よってこのときは紙送りスイッチ１０のみが有効である。
【００１５】
カバーセンサーの位置については、プリンタカバーセンサー１１は図１に示す位置にあり、テイクアップユニットカバーセンサー１２はロール紙挿入位置付近に取り付けてある。
【００１６】
前記ＣＰＵ１６とＲＯＭに格納された制御プログラムを主な構成要素としてスイッチ制御手段及び紙送り制御手段を構成している。
【００１７】
図４は本発明のオートローディング装置のフローチャートを示す。（カバーオープン検出から印字開始までのフローチャート）
ステップ４０は図３のカバーセンサー１１、１２により現在のカバーの開閉状況を検出している。ステップ４１ではステップ４０から送られてきた信号によりＴＵカバー１およびプリンタカバー２の開閉の有無を判断する。カバーオープンであると検出されればステップ４２のオフラインモードに設定される。このモード設定は、オンラインスイッチ８の有効・無効にかかわらず、ＲＯＭに格納された制御プログラムによって自動的に設定される。カバークローズであると検出されればステップ４５のオンラインモードに設定される。ステップ４２において印字動作中であれば、オフラインモードに設定されたために、直ちに印字を停止する。カバーオープンの状態とはロール紙の挿入および交換、インクリボンの着脱、あるいは印字用紙の紙づまりの対応などといったときに必要性が生じて、カバーオープンを行う。このとき、カバーパネルのスイッチ８〜１０は必要性がないためすべて無効となり、ペーパーロードスイッチ３のみが有効となる。よってロール紙の交換、新規ロール紙の挿入を行うときは、ペーパーロードスイッチ３を動作させて用紙を挿入すればよい。つぎのステップ４３ではロール紙の自動紙送りを行っている。  ステップ４４ではオフラインモードからオンラインモードへの切り換えを行っている。自動紙送りなど行った後のオンラインモードへの復帰は、オンラインスイッチ８が有効の場合は、カバーを閉じた後にオンラインスイッチ８によって行う。またオンラインスイッチ８が無効の場合は、本体カバーを閉じることによって行う。オンラインモードに復帰後は、ステップ４６において印字動作を再度開始することができる。
【００１８】
本実施例では本体カバーが２つ装備された例で説明したが当然のことながら、本体カバーが１つの場合もあれば３つ以上の場合も想定される。この時、必要に応じてカバーオープン検出器をカバーの数に対応させることも可能である。
【図面の簡単な説明】
【００１９】
【図１】本発明の実施例を示す概略図。
【図２】本発明の実施例を示す、シリアルプリンタのパネルスイッチおよびインディケータ概略図。
【図３】本発明のオートローディング装置の実施例を示すブロック図。
【図４】本発明のオートローディング装置の実施例を示すフローチャート。
【符号の説明】
【００２０】
１    テイクアップユニットカバー（ＴＵカバー）、２    プリンタカバー（Ｐカバー）、３    ペーパーロードスイッチ、４    電源（ＰＯＷＥＲ）ＬＥＤ、
５    ロール紙紙無しＬＥＤ、６    単票用紙（ＰＡＰＥＲ）ＬＥＤ、
７    オンライン（ＯＮ  ＬＩＮＥ）ＬＥＤ、８    オンラインスイッチ、
９    レリーズスイッチ、１０    紙送りスイッチ（ＦＥＥＤ  ＳＷ）、
１１    プリンタカバーセンサー（Ｐカバーセンサー）、１２    テイクアップユニットカバーセンサー（ＴＵカバーセンサー）
【図１】
2006056268.tif 000003
【図２】
2006056268.tif 000004
【図３】
2006056268.tif 000005
【図４】
2006056268.tif 000006